(57)【要約】    【課題】  光源を備えた板状体等の不正具を遊技媒体投入口より挿入して光源の発光及び発光停止により遊技媒体の不存在と存在を偽装して遊技媒体通過を不正に検出させる不正行為を防ぐ。    【解決手段】  検知用経路１４における第２センサ１６の奥側に隣接して第１センサ１８を設ける。第２センサ１６は、第２被検知位置２０を挟んで一方の側に第２照射部１６ａ、他方の側に第２受光部１６ｂを有し、メダル１２が第２被検知位置２０に存在することと第２受光部１６ｂによる検知光不感知とが対応する。第１センサ１８は、第１照射部１８ａと、メダル１２が第１被検知位置２２を通過する際に検知光がメダル１２に反射する反射光を感知するための第１受光部１８ｂを有し、メダル１２が第１被検知位置２２に存在することと第１受光部１８ｂによる反射光感知とが対応する。第１受光部１８ｂと第１被検知位置２２の間に遮光部２４を備える。【選択図】      図１
2006000520.tif 000002
【特許請求の範囲】
【請求項１】
遊技装置における遊技媒体投入口から投入されて所定の検知用経路を所定の向きに通過する遊技媒体を検知するための投入遊技媒体検知装置であって、
前記検知用経路における第１被検知位置に検知光を照射するための照射部と、遊技媒体が前記第１被検知位置を通過する際に前記検知光が遊技媒体に反射する反射光を感知するための受光部を有してなり、遊技媒体が前記第１被検知位置に存在することと受光部による反射光感知とが対応する第１遊技媒体検知部と、
前記検知用経路のうち前記第１被検知位置と異なるタイミングで遊技媒体が通過する第２被検知位置において遊技媒体を検知するための、第１遊技媒体検知部と別種又は同種の第２遊技媒体検知部
を備えることを特徴とする投入遊技媒体検知装置。
【請求項２】
上記第１遊技媒体検知部が、第１被検知位置から受光部に入射する角度以外の角度の光を受光部が受光するのを遮るための遮光部を、受光部と第１被検知位置の間に備える請求項１記載の投入遊技媒体検知装置。
【請求項３】
上記第１遊技媒体検知部が、照射部から第１被検知位置に照射する検知光を遮らず、第１被検知位置から受光部に入射する角度以外の角度の光を受光部が受光するのを遮るための遮光部を、受光部と第１被検知位置の間に備える請求項１記載の投入遊技媒体検知装置。
【請求項４】
上記第２遊技媒体検知部が、上記検知用経路における第２被検知位置を挟んで一方の側に検知光を照射するための照射部を有し、他方の側に前記検知光を感知するための受光部を有してなり、遊技媒体が第２被検知位置に存在することと受光部による検知光不感知とが対応するものである請求項１又は２記載の投入遊技媒体検知装置。
【発明の詳細な説明】
【技術分野】
【０００１】
本発明は、メダル等の遊技媒体をスロットマシン等の遊技媒体投入口から投入されて所定の検知用経路を所定の向きに通過する遊技媒体を検知するための投入遊技媒体検知装置に関する。
【背景技術】
【０００２】
糸吊りメダルをメダル投入口へ投入して往復操作するような不正行為を防ぐための遊技媒体検知装置においては、２個の光電センサを所定距離離して設置している。両光電センサによる感知順序により、遊技媒体の通過と通過の向きを検知し、逆向きに遊技媒体が動く不正な遊技媒体通過を検出するものである。
【０００３】
これに対し、長い板状体などの遊技媒体以外の器具を遊技媒体通路へ挿入して巧みに往復操作する不正行為が行われることがある。この不正行為は、遊技媒体通路の通路幅より小幅の板状体を遊技媒体投入口より挿入し、２個の光電センサの光路を板状体により順次遮断して、まず上流側の光電センサの出力を、次いで下流側の光電センサの出力を、それぞれ変化させた後、側方移動により２個の光電センサの光路を遮断しないようにして板状体を引き戻すものである。
【０００４】
これら両不正行為を防ぐためのメダル通過検出装置が、特開２００２−３４２８１４号公報（特許文献１）に開示されている。すなわち、特開２００２−３４２８１４号公報には、メダル通路に個別に設けられた少なくとも２個のメダル検知用の近接センサと、各近接センサの出力に基づいてメダル通路を遊技用のメダルが通過したかどうかを判断する制御部とを備えたメダル通過検出装置として、各近接センサが、メダル通路の幅方向に連続するメダル検知領域を有し、前記メダル検知領域がメダル通路の全域にわたって設定されて成るものと、各近接センサが、メダル通路の幅方向に連続するメダル検知領域を有し、前記制御部が、近接センサによりメダルの直径に相応する領域幅にわたってメダルが検知されたとき、近接センサの位置をメダルが通過したと判断するようにしたものが開示されている。実施の形態として記載された近接センサは、光源とＣＣＤラインセンサにより、メダル通路の幅方向に連続するメダル検知領域においてメダル通過による影を検出するものである。
【０００５】
ところが、更に進んだ不正行為として、ＬＥＤ等の光源を備えた板状体等の不正具を遊技媒体投入口より挿入して各センサの位置にＬＥＤ等を位置させるようにし、ＬＥＤの発光と発光停止により、遊技媒体の不存在と存在を偽装して遊技媒体通過を不正に検出させるものが考えられ、これに対する対応が必要となっている。遊技媒体投入口へ多数枚の遊技媒体を投入して遊技媒体を貯留（クレジット）することができ、随時クレジットを清算して遊技媒体を放出させることができる遊技装置の場合、このような不正行為によって、短時間に多量の遊技媒体が不正取得されるおそれがある。
【特許文献１】特開２００２−３４２８１４号公報
【発明の開示】
【発明が解決しようとする課題】
【０００６】
本発明は、従来技術に存した上記のような課題に鑑み行われたものであって、その目的とするところは光源を備えた板状体等の不正具を遊技媒体投入口より挿入して光源の発光及び発光停止により遊技媒体の不存在と存在を偽装して遊技媒体通過を不正に検出させる不正行為を防ぎ得る投入遊技媒体検知装置を提供することにある。
【課題を解決するための手段】
【０００７】
上記目的を達成する本発明の投入遊技媒体検知装置は、
遊技装置における遊技媒体投入口から投入されて所定の検知用経路を所定の向きに通過する遊技媒体を検知するための投入遊技媒体検知装置であって、
前記検知用経路における第１被検知位置に検知光を照射するための照射部と、遊技媒体が前記第１被検知位置を通過する際に前記検知光が遊技媒体に反射する反射光を感知するための受光部を有してなり、遊技媒体が前記第１被検知位置に存在することと受光部による反射光感知とが対応する第１遊技媒体検知部と、
前記検知用経路のうち前記第１被検知位置と異なるタイミングで遊技媒体が通過する第２被検知位置において遊技媒体を検知するための、第１遊技媒体検知部と別種又は同種の第２遊技媒体検知部
を備えることを特徴とする。
【０００８】
遊技装置における遊技媒体投入口から投入されて遊技媒体が所定の検知用経路を所定の向きに通過する場合、第１遊技媒体検知部では、第１被検知位置通過中は、照射部から検知光を照射して遊技媒体が反射した光を受光部が感知し、通過前後は受光部は反射光を感知しない。第２遊技媒体検知部では、第１被検知位置と異なるタイミングで遊技媒体が通過する第２被検知位置を通過する遊技媒体を検知する。第１遊技媒体検知部と第２遊技媒体検知部の検知情報を組み合わせて判定することにより、遊技媒体投入口から投入されて所定の検知用経路を所定の向きに通過した遊技媒体を検知することができる。
【０００９】
この装置に対し、投入口から挿入した不正装置により遊技媒体の不正計数を行わせるには、少なくとも第１遊技媒体検知部について、投入口から挿入した不正装置により遊技媒体が第１被検知位置に存在しないことを偽装することを要する。そのためには、不正装置における第１被検知位置に相当する部分に空孔部又は検知光を実質上反射しない部分が必要である。一方、第１被検知位置に遊技媒体が存在することを偽装するには、何らかの手段によりして受光部に対し光を照射することが必要である。
【００１０】
このように、少なくとも第１遊技媒体検知部については、相反する要請を両立しなければ遊技媒体の不正計数を実現することはできず、できたとしても不正装置の製造及び使用の精度を格段に高める必要があるので、不正計数は有効に防止される。
【００１１】
なお、第１被検知位置と第２被検知位置、並びに第１遊技媒体検知部と第２遊技媒体検知部のそれぞれにおける第１と第２は、単に区別のためのものであって、位置その他の順序等を意味するものではない。
【００１２】
本発明の投入遊技媒体検知装置は、上記第１遊技媒体検知部が、第１被検知位置から受光部に入射する角度以外の角度の光を受光部が受光するのを遮るための遮光部を、受光部と第１被検知位置の間に備えるものであることが好ましい。
【００１３】
この場合、第１被検知位置から受光部に入射する角度以外の角度の光を受光部が受光するのを遮るための遮光部を、受光部と第１被検知位置の間に備えるので、不正装置における第１被検知位置に相当する部分に空孔部又は検知光を実質上反射しない部分を設けつつ受光部に対し光を照射する手段を設けることは極めて困難であり、できたとしても不正装置の製造及び使用の精度をより一層高める必要があるので、不正計数は更に有効に防止される。
【００１４】
また本発明の投入遊技媒体検知装置は、上記第１遊技媒体検知部が、照射部から第１被検知位置に照射する検知光を遮らず、第１被検知位置から受光部に入射する角度以外の角度の光を受光部が受光するのを遮るための遮光部を、受光部と第１被検知位置の間に備えるものであることが好ましい。
【００１５】
この場合、照射部から第１被検知位置に照射する検知光を遮らず、第１被検知位置から受光部に入射する角度以外の角度の光を受光部が受光するのを遮るための遮光部を、受光部と第１被検知位置の間に備えるので、不正装置における第１被検知位置に相当する部分に空孔部又は検知光を実質上反射しない部分を設けつつ受光部に対し光を照射する手段を設けることは極めて困難であり、できたとしても不正装置の製造及び使用の精度をより一層高める必要があるので、不正計数は更に有効に防止される。
【００１６】
また上記各投入遊技媒体検知装置は、上記第２遊技媒体検知部が、上記検知用経路における第２被検知位置を挟んで一方の側に検知光を照射するための照射部を有し、他方の側に前記検知光を感知するための受光部を有してなり、遊技媒体が第２被検知位置に存在することと受光部による検知光不感知とが対応するものとすることができる。
【００１７】
この場合、第１遊技媒体検知部は遊技媒体からの反射光感知を遊技媒体の通過として検知し、第２遊技媒体検知部は検知光の不感知を遊技媒体の通過として検知するという逆の作用を組み合わせているので、これに対する遊技媒体の存在と不存在の偽装も逆の作用を組み合わせなければならず、不正装置の作成が困難となる。
【発明の効果】
【００１８】
本発明の投入遊技媒体検知装置によれば、光源を備えた板状体等の不正具を遊技媒体投入口より挿入して光源の発光及び発光停止により遊技媒体の不存在と存在を偽装して遊技媒体通過を不正に検出させる不正行為を有効に防止することができる。そのためのセンサの数は従来より増やす必要がないためコストを抑えることができ、而も光センサを使用するため検知速度を低下させることもないためスピーディーに遊技を進める上で好適である。
【発明を実施するための最良の形態】
【００１９】
本発明の実施の形態を、図面を参照しつつ説明する。
【００２０】
図１は、本発明によるスロットマシン用の投入遊技媒体検知装置の要部模式断面図、図２は第２センサ（第２遊技媒体検知部）についての図１におけるII−II断面図、図３は第１センサ（第１遊技媒体検知部）及び遮光部についての図１におけるIII−III断面図である。
【００２１】
スロットマシンのメダル投入口１０から投入されたメダル１２（遊技媒体）は、検知用経路１４において検知された後、メダル収容部（図示せず）に収容される。検知されたメダル数に応じ、１回のゲームを行うためのメダル１２を超える数の投入メダル数（或いは全投入メダル数）は、クレジットとして記憶される。
【００２２】
検知用経路１４における第２センサ１６の奥側に隣接して第１センサ１８が位置する。
【００２３】
第２センサ１６は、検知用経路１４における第２被検知位置２０を挟んで一方の側に検知光を照射するための第２照射部１６ａを有し、他方の側に前記検知光を感知するための第２受光部１６ｂを有してなり、メダル１２が第２被検知位置２０に存在することと第２受光部１６ｂによる検知光不感知とが対応する。第２照射部１６ａと第２受光部１６ｂ及び必要に応じ所要の信号処理回路は、一体をなすものとすることができる。
【００２４】
第１センサ１８は、検知用経路１４における第１被検知位置２２に対し検知光を照射するための第１照射部１８ａと、メダル１２が第１被検知位置２２を通過する際に前記検知光がメダル１２に反射する反射光を感知するための第１受光部１８ｂを、検知用経路１４に対し同じ側に隣接して有し、メダル１２が第１被検知位置２２に存在することと第１受光部１８ｂによる反射光感知とが対応する。第１照射部１８ａと第１受光部１８ｂ及び必要に応じ所要の信号処理回路は、一体をなすものとすることができる。また、第１照射部１８ａの発光を所定周期で行い、第１受光部１８ｂは、第１照射部１８ａにおける所定周期の発光に同期する受光のみを受光信号として出力するものとすることが、不正やその他の誤動作防止上好ましい。
【００２５】
また第１センサ１８は、第１照射部１８ａから第１被検知位置２２に照射する検知光を遮らず、第１被検知位置２２から第１受光部１８ｂに入射する角度以外の角度の光を第１受光部１８ｂが受光するのを遮るための、透孔２４ａを備えた遮光部２４を、第１受光部１８ｂと第１被検知位置２２の間に備える。
【００２６】
メダル投入口１０から投入されたメダル１２が検知用経路１４を奥向きに通過する際、第１被検知位置２２と第２被検知位置２０は異なるタイミングでが通過する。なお、この例では、進行方向において異なる位置に第１センサ１８と第２センサ１６を設けているが、例えば進行方向に直交する方向において異なる位置（メダル１２の進行方向寸法が異なる位置）に二つのセンサを設けても異なるタイミングで通過するものとすることができる。
【００２７】
メダル投入口１０から投入されてメダル１２が検知用経路１４を奥向きに通過する場合、第１センサ１８では、第１被検知位置２２通過中は、照射部から検知光を照射してメダル１２が反射した光を第１受光部が感知し、通過前後は第１受光部は反射光を感知しない。第２センサ１６では、第１被検知位置２２よりも早いタイミングで第２被検知位置２０を通過するメダル１２を検知する。第１センサ１８と第２センサ１６の検知情報（例えば検知および／または非検知の順序やタイミング）を組み合わせて判定することにより、メダル投入口１０から投入されて検知用経路１４を奥に向かって通過したメダル１２のみを検知することができ、逆向きの通過やその他の不正行為を検出してエラー等として出力することができる。なお、判定、計数、記憶等の処理に必要な処理部やその他の周辺機器が必要であることは言うまでもない。
【００２８】
この装置に対し、メダル投入口１０から挿入した不正装置によりメダル１２の不正計数を行わせるには、少なくとも第１センサ１８について、メダル投入口１０から挿入した不正装置により、メダル１２が第１被検知位置２２に存在しないことを偽装することを要する。そのためには、不正装置における第１被検知位置２２に相当する部分に空孔部又は検知光を実質上反射しない部分が必要である。一方、第１被検知位置２２にメダル１２が存在することを偽装するには、何らかの手段によりして第１受光部に対し光を照射することが必要である。
【００２９】
このように、少なくとも第１センサ１８については、相反する要請を両立しなければメダル１２の不正計数を実現することはできず、できたとしても不正装置の製造及び使用の精度を格段に高める必要があるので、不正計数は有効に防止される。
【００３０】
而も、第１照射部１８ａから第１被検知位置２２に照射する検知光を遮らず、第１被検知位置２２から第１受光部１８ｂに入射する角度以外の角度の光を第１受光部１８ｂが受光するのを遮るための遮光部２４を、受光部と第１被検知位置２２の間に備えるので、不正装置における第１被検知位置２２に相当する部分に空孔部又は検知光を実質上反射しない部分を設けつつ第１受光部に対し光を照射する手段を設けることは極めて困難であり、できたとしても不正装置の製造及び使用の精度をより一層高める必要があるので、不正計数は更に有効に防止される。
【００３１】
また、第１センサ１８はメダル１２からの反射光感知をメダル１２の通過として検知し、第２センサ１６は検知光の不感知をメダル１２の通過として検知するという逆の作用を組み合わせているので、これに対するメダル１２の存在と不存在の偽装も逆の作用を組み合わせなければならず、不正装置の作成が困難となる。なお、第２センサ１６を第１センサ１８と同種のセンサとすることもできる。
【００３２】
このように、センサの数は従来より増やす必要がないためコストを抑えることができ、而も光センサを使用するため検知速度を低下させることもないためスピーディーに遊技を進める上で好適である。その他の不正防止手段としては、例えば、クレジットの清算枚数の累計が通常あり得ない枚数となった場合に遊技装置等に遊技店或いは他の客にわかる注意表示又は警告表示を行う（例えば３０枚で注意表示、６０枚で警告表示）ことが考えられる。但し、累計枚数は、一定ゲーム間クレジットの清算をしなかった場合、ボーナスゲーム等の大量のクレジットが生じるゲームの終了又はそのゲーム間、電源ＯＦＦの際（電源ＯＦＦ時の表示は行う）には、クリアする（０枚にする）。或いは、一定ゲーム数の間に所定枚数以上のクレジット清算を所定回数行った場合に注意表示を行う（例えば５０ゲームで１０枚以上の清算を５回以上）、所定の短時間で所定枚数以上のメダル投入が計数された場合に警告表示を行う（１．５秒間に２０枚以上）等が考えられる。
【図面の簡単な説明】
【００３３】
【図１】投入遊技媒体検知装置の要部模式断面図である。
【図２】第２センサ（第２遊技媒体検知部）についての図１におけるII−II断面図である。
【図３】第１センサ（第１遊技媒体検知部）についての図１におけるIII−III断面図である。
【符号の説明】
【００３４】
１０      メダル投入口
１２      メダル
１４      検知用経路
１６      第２センサ
１６ａ    第２照射部
１６ｂ    第２受光部
１８      第１センサ
１８ａ    第１照射部
１８ｂ    第１受光部
２０      第２被検知位置
２２      第１被検知位置
２４      遮光部
２４ａ    透孔
【図１】
2006000520.tif 000003
【図２】
2006000520.tif 000004
【図３】
2006000520.tif 000005